(57)【特許請求の範囲】
【請求項１】
光ピックアップ本体に形成した溝部の両側面に受座が形成され、該両受座上に矩形ブロック状ハーフミラーの両端部を載置することにより、該ハーフミラーが溝部を斜めに横断するように傾斜状態で配置され、前記溝部の底面とそれに対向するハーフミラーの内側面とを接着剤で接着するようにした光ピックアップからなる電子部材であって、前記溝部の底面に位置決め台が形成されると共に、該位置決め台にハーフミラーの内側面が当接され、前記溝部の底面を削除して位置決め台から溝部の開口端まで延びる一対の突条部を形成することにより、該両突条部間に接着剤注入凹部が形成され、前記両突条部間の溝部の底面とハーフミラーの内側面と位置決め台とで囲まれたポケットを接着剤注入凹部に連通させており、その接着剤注入凹部を通ってポケット内に接着剤を注入すると共に、ハーフミラーの両端部の内側面と平行する外側面から各受座にかけて接着剤を注入して、ハーフミラーを光ピックアップ本体に固定することを特徴とする電子部材。
【発明の詳細な説明】
【０００１】
【発明の属する技術分野】
本発明は、ハーフミラーを光ピックアップ本体の所定位置に確実に固定することができるようにした電子部材に関する。
【０００２】
【従来の技術】
光ピックアップの一例として図５に示すものがある。これは、光ピックアップ本体１に形成した溝部２の途中にハーフミラー３が傾斜状態で配置され、該ハーフミラー３を間に挟んで光ピックアップ本体１の両端に対物レンズＯＬとフォトダイオードＰＤ付きチップ４とが配置され、光ピックアップ本体１の側面に半導体レーザＬＤが設けられており、該半導体レーザＬＤからハーフミラー３及び対物レンズＯＬを介してディスクＤにレーザ光を投射し、その反射光をフォトダイオードＰＤで受光することにより、ディスクＤに記録されている情報を読み取るようになっている。
【０００３】
前記ハーフミラー３は、図６〜図８に示すように、矩形ブロック状であって、
その内側面３ａを溝部２の底面２ａに当接させると共に、その両端部３ｂ，３ｃを溝部２の両側面に形成した受座５、６上に載置することにより、溝部２内に４５°の傾斜状態で位置決めされている。
【０００４】
従来、前記ハーフミラー３を固定する技術としては、実公平６−３３６７号公報などに記載したものがあり、その一例として図６〜図８に示すものがある。これは、ハーフミラー３の内側面３ａと溝部２の底面２ａとの間及び該ハーフミラー３の両端部３ｂ，３ｃと各受座５、６との間の３箇所に紫外線硬化性接着剤７を注入し、紫外線を照射してその接着剤７を硬化させるものである。
【０００５】
【発明が解決しようとする課題】
上記従来の構成では、ハーフミラー３が傾斜状態で載置されているため、該ハーフミラー３の内側面３ａと溝部２の底面２ａとの間に注入された接着剤７がそのハーフミラー３の上面３ｄに沿って流下ａしやすい。このため、ハーフミラー３の内側面３ａと溝部２の底面２ａとの接着が不充分になりやすく、また、前記上面３ｄに沿って流下した接着剤７がハーフミラー３と溝部２との間の窪み部８に比較的大量に溜まって、その溜まった接着剤７の硬化による収縮力でハーフミラー３が引っ張られて所定位置からずれる虞れがある。
【０００６】
本発明は、上記従来の欠点に鑑み、ハーフミラーを光ピックアップ本体の所定位置に確実に固定することができるようにした電子部材を提供することを目的としている。
【０００７】
【課題を解決するための手段】
上記目的を達成するため、請求項１に記載の発明は、光ピックアップ本体に形成した溝部の両側面に受座が形成され、該両受座上に矩形ブロック状ハーフミラーの両端部を載置することにより、該ハーフミラーが溝部を斜めに横断するように傾斜状態で配置され、前記溝部の底面とそれに対向するハーフミラーの内側面とを接着剤で接着するようにした光ピックアップからなる電子部材であって、前記溝部の底面に位置決め台が形成されると共に、該位置決め台にハーフミラーの内側面が当接され、前記溝部の底面を削除して位置決め台から溝部の開口端まで延びる一対の突条部を形成することにより、該両突条部間に接着剤注入凹部が形成され、前記両突条部間の溝部の底面とハーフミラーの内側面と位置決め台とで囲まれたポケットを接着剤注入凹部に連通させており、その接着剤注入凹部を通ってポケット内に接着剤を注入すると共に、ハーフミラーの両端部の内側面と平行する外側面から各受座にかけて接着剤を注入して、ハーフミラーを光ピックアップ本体に固定することを特徴としている。
【０００８】
上記構成によれば、光ピックアップ本体に形成した溝部の底面に、ハーフミラーの内側面に対向してポケットが形成されているから、該ポケット内に注入した接着剤によりハーフミラーの内側面を溝部の底面に確実に接着することができ、
また、溝部の開口端からポケットまで延びる接着剤注入凹路が形成されているので、その接着剤注入凹路を通ってポケット内に接着剤を簡単確実に注入することができる。更に、接着剤がポケット内に溜まって外部に流出しないから、従来のように外部に流出した接着剤の硬化による収縮力でハーフミラーが引っ張られることがなく、そのハーフミラーを所定位置に正確に固定することができる。
【０００９】
しかも、ハーフミラーの内側面を位置決め台に当接させるだけで、該ハーフミラーを所定通りに位置決めすることができると共に、その位置決め台がポケットの底を塞ぐためにも兼用されており、その兼用した分だけ構造が簡単になって製作費が安くつく。
【００１０】
【発明の実施の形態】
図１〜図４は本発明の実施の一形態である光ピックアップ（電子部材）を示すものであって、光ピックアップ本体１に形成した溝部２の底面２ａに、ハーフミラー３の内側面３ａに対向するポケット１０と、溝部２の開口端からポケット１０まで延びる接着剤注入凹路１１と、ハーフミラー３の内側面３ａに当接して該ハーフミラー３を位置決めするための位置決め台１２とが形成され、該位置決め台１２により前記ポケット１０の底が塞がれ、溝部２の底面２ａのポケット１０、位置決め台１２及び接着剤注入凹路１１以外の部分を削除して凹部１３を形成することにより、該溝部２の開口端から接着剤注入凹路１１の両側縁に沿って位置決め台１２まで延びる一対の突条部１４が形成されている。上記以外の構成は図５〜図８に示す構成とほぼ同じであるから、同一部分に同一符号を付してその説明を省略する。
【００１１】
前記ハーフミラー３の固定手順を説明すると、ハーフミラー３の内側面３ａを位置決め台１２に当接させると共に、該ハーフミラー３の両端部３ｂ，３ｃを受座５、６上に載置することにより、そのハーフミラー３を溝部２内に４５°の傾斜状態で位置決めする。次に、接着剤注入凹路１１を通ってポケット１０内に紫外線接着剤７を注入すると共に、ハーフミラー３の両端部３ｂ，３ｃと各受座５、６との間にも紫外線硬化性接着剤７を注入し、紫外線を照射してその接着剤７を硬化させればよい。
【００１２】
上記構成によれば、光ピックアップ本体１に形成した溝部２の底面２ａに、ハーフミラー３の内側面３ａに対向してポケット１０が形成されているから、該ポケット１０内に注入した接着剤７によりハーフミラー３の内側面３ａを溝部２の底面２ａに確実に接着することができ、また、溝部２の開口端からポケット１０まで延びる接着剤注入凹路１１が形成されているので、その接着剤注入凹路１１を通ってポケット１０内に接着剤７を簡単確実に注入することができる。更に、接着剤７がポケット１０内に溜まって外部に流出しないから、従来のように外部に流出した接着剤７の硬化による収縮力でハーフミラー３が引っ張られることがなく、そのハーフミラー３を所定位置に正確に固定することができる。
【００１３】
また更に、ハーフミラー３の内側面３ａを位置決め台１２に当接させるだけで、該ハーフミラー３を所定通りに位置決めすることができると共に、その位置決め台１２がポケット１０の底を塞ぐためにも兼用されており、その兼用した分だけ構造が簡単になって製作費が安くつく。
【００１４】
しかも、溝部２の底面２ａのポケット１０、位置決め台１２及び接着剤注入凹路１１以外の部分を削除して凹部１３を形成しているので，その凹部１３分だけ軽量化してコストダウンを図ることができ、また、溝部２の開口端から接着剤注入凹路１１の両側縁に沿って位置決め台１２まで延びる一対の突条部１４によってポケット１０に注入した接着剤７の外部への流出を確実に阻止することができる。
【００１５】
【発明の効果】
本発明によれば、光ピックアップ本体に形成した溝部の底面に、ハーフミラーの内側面に対向してポケットが形成されているから、該ポケット内に注入した接着剤によりハーフミラーの内側面を溝部の底面に確実に接着することができ、また、溝部の開口端からポケットまで延びる接着剤注入凹路が形成されているので、その接着剤注入凹路を通ってポケット内に接着剤を簡単確実に注入することができる。更に、接着剤がポケット内に溜まって外部に流出しないから、従来のように外部に流出した接着剤の硬化による収縮力でハーフミラーが引っ張られることがなく、そのハーフミラーを所定位置に正確に固定することができる。
【００１６】
しかも、ハーフミラーの内側面を位置決め台に当接させるだけで、該ハーフミラーを所定通りに位置決めすることができると共に、その位置決め台がポケットの底を塞ぐためにも兼用されており、その兼用した分だけ構造が簡単になって製作費が安くつく。
【図面の簡単な説明】
【図１】  本発明の実施の一形態である光ピックアップの要部を示す拡大正面図である。
【図２】  図１のＡ−Ａ矢視図である。
【図３】  図１のＢ−Ｂ矢視図である。
【図４】  同要部の分解斜視図である。
【図５】  光ピックアップの原理を示す概略縦断面図である。
【図６】  従来例を示す拡大正面図である。
【図７】  図６のＣ−Ｃ矢視図である。
【図８】  図６のＤ−Ｄ矢視図である。
【符号の説明】
１      光ピックアップ本体（部材本体）
２      溝部
２ａ    溝部の底面
３      ハーフミラー（部品）
３ａ    ハーフミラーの内側面
７      紫外線硬化性接着剤
１０    ポケット
１１    接着剤注入凹路
１２    位置決め台
１３    凹部
１４    突条部
【図１】
0003806921.tif 000002
【図２】
0003806921.tif 000003
【図３】
0003806921.tif 000004
【図４】
0003806921.tif 000005
【図５】
0003806921.tif 000006
【図６】
0003806921.tif 000007
【図７】
0003806921.tif 000008
【図８】
0003806921.tif 000009